(57)【要約】      （修正有）【課題】作業者の身体を十分に保護し且つ作業者の動作を妨げない従来よりも使用勝手のよい防護服を提供する。【解決手段】前面部１０に外部からの衝撃を吸収可能な防護パットから構成された前面防具５０が装着されており、背面部に外部からの衝撃を吸収可能な防護パットから構成された背面防具が装着された防護服１００が提供される。かかる防護服１００は、背面防具に比べて相対的に軟質であり、かつ、相対的に屈曲容易に形成された前面防具５０を備えていることを特徴とする。【選択図】図１
0003160916.tif 000002
【実用新案登録請求の範囲】
【請求項１】
作業者が着用する防護服であって、
作業者の胸部及び／又は腹部を保護する前面部と、
作業者の背中を保護する背面部と、
前記前面部および前記背面部の上縁を連結し、着用時に作業者の肩部に配置されるショルダー部と、
前記前面部および前記背面部の側縁を連結し、着用時に作業者の脇腹部に配置されるサイド部と、
を備えており、
前記前面部には、外部からの衝撃を吸収可能な防護パットから構成された前面防具が装着されており、
前記背面部には、外部からの衝撃を吸収可能な防護パットから構成された背面防具が装着されており、
ここで、前記前面防具は、前記背面防具に比べて相対的に軟質であり、かつ、相対的に屈曲容易に形成されていることを特徴とする、防護服。
【請求項２】
前記前面防具及び／又は前記背面防具は、相互に弾性率の異なる複数の防護パット、若しくは、相互に弾性率の異なる複数の積層体を積層させてなる防護パットから構成されている、請求項１に記載の防護服。
【請求項３】
前記前面防具及び／又は前記背面防具は、発泡樹脂からなる防護パット、若しくは、発泡樹脂からなる積層体を含む、請求項２に記載の防護服。
【請求項４】
前記背面防具は、非発泡樹脂からなる防護パット、若しくは、非発泡樹脂からなる積層体をさらに含む、請求項３に記載の防護服。
【請求項５】
前記背面防具は、着用時において、作業者の身体に近い方に前記非発泡樹脂からなる防護パット、若しくは、前記非発泡樹脂からなる積層体を配置し、作業者の身体から遠い方に前記発泡樹脂からなる防護パット、若しくは、前記発泡樹脂からなる積層体を配置してなる、請求項４に記載の防護服。
【請求項６】
前記前面防具は、前記背面防具よりも少ない数の防護パット、若しくは、前記背面防具よりも前記積層体の数が少ない防護パットから構成されている、請求項１から５までの何れか一項に記載の防護服。
【請求項７】
前記前面防具は、少なくとも作業者の胸部及び腹部を保護するように構成されており、
前記前面防具は、作業者の胸部を保護する部位に比べて、腹部を保護する部位の方が相対的に薄くなるように形成されている、請求項１から６までの何れか一項に記載の防護服。
【請求項８】
前記前面部には前記前面防具を収容する前面収容部が設けられており、
前記背面部には前記背面防具を収容する背面収容部が設けられている、請求項１から７までの何れか一項に記載の防護服。
【請求項９】
前記ショルダー部および／又は前記サイド部はメッシュ生地で構成されている、請求項１から８までの何れか一項に記載の防護服。
【請求項１０】
前記サイド部の何れか一方には、前記前面部と前記背面部との連結を自在に解除することができる係合部が設けられている、請求項１から９までの何れか一項に記載の防護服。
【請求項１１】
前記係合部は、前記サイド部における前記前面部に隣接した部位に設けられている、請求項１０に記載の防護服。
【請求項１２】
前記係合部は、開閉自在に設けられたファスナーを構成している、請求項１０又は１１に記載の防護服。
【請求項１３】
前記ファスナーは、係合基部が上方であり、且つ、係合先端が下方に位置するように設けられている、請求項１２に記載の防護服。
【考案の詳細な説明】
【技術分野】
【０００１】
本考案は、作業者が着用する防護服に関する。
【背景技術】
【０００２】
車両整備工場や建築現場などの作業現場では、当該作業現場で作業に従事する作業者に飛来物・落下物・突起物などが衝突し、作業者が怪我をすることがある。このような事故を防止するため、上記作業現場では身体を保護する防護服を作業者に着用させることがある。
【０００３】
当該防護服の一例として、特許文献１には背部に合成樹脂発泡体を挿填したチョッキ状の胴衣であるバックプロテクターが開示されている。また、作業現場で着用する防護服ではないが、特許文献２には、作業者の身体を保護する衣類として、熱可塑性樹脂を成型してなるシェルを着用体の前面及び背面に配置したサポーターが開示されている。また、その他、作業者の身体を保護する衣類が特許文献３に挙げられている。
【先行技術文献】
【特許文献】
【０００４】
【特許文献１】特開平１０−５３９０５号公報
【特許文献２】特開平１０−５３９０６号公報
【特許文献３】特開２００８−２２３１８１号公報
【考案の概要】
【考案が解決しようとする課題】
【０００５】
一般的に、飛来物・落下物・突起物などの衝撃から作業者を保護するため、上述した防護服などには反発性や剛性の強い素材が使用される。しかし、かかる反発性や剛性の強い素材は屈曲させづらいため、防護服を着用することによって作業者の動作を制限するおそれがある。すなわち、防護服の着用によって、作業効率の低下を招いたり、危険を回避する動作が遅れたりする可能性がある。
【０００６】
例えば、特許文献２に開示されているサポーターでは、上述のとおり、前面及び背面に高剛性のシェルが配置されている。このため、かかるサポーターは屈曲させづらくなっている。特に、かかるサポーターを着用した作業者が屈むと、サポーターの前面に配置されたシェルが胸部や腹部を圧迫し、作業者の動作が制限されるおそれがある。
【０００７】
一方、特許文献１に開示されているバックプロテクターでは、背部に多数の棒状体を並列状に装填し、上記棒状体における長手を複数の部分に分割している。これによって、かかるバックプロテクターは、着用時に屈みやすくなっている。しかし、かかるバックプロテクターは、前面を保護する構造を有していないため、作業者の身体保護の点で不十分である。
【０００８】
本考案は、上述の問題点を鑑みてなされたものであり、作業者の身体を十分に保護し且つ作業者の動作を妨げない従来よりも使用勝手のよい防護服を提供することを目的としている。
【課題を解決するための手段】
【０００９】
上記目的を実現するべく、本考案によって作業者が着用する防護服が提供される。上記防護服は、作業者の胸部及び／又は腹部を保護する前面部と、作業者の背中を保護する背面部と、前面部および背面部の上縁を連結し、着用時に作業者の肩部に配置されるショルダー部と、前面部および背面部の側縁を連結し、着用時に作業者の脇腹部に配置されるサイド部と、を備えている。かかる防護服において、上記前面部には、外部からの衝撃を吸収可能な防護パットから構成された前面防具が装着されており、上記背面部には、外部からの衝撃を吸収可能な防護パットから構成された背面防具が装着されている。ここで、かかる防護服において、前面防具は、背面防具に比べて相対的に軟質であり、かつ、相対的に屈曲容易に形成されていることを特徴とする。
【００１０】
本考案の防護服は、上述のとおり、前面部に前面防具が装着されており、背面部に背面防具が装着されているので、作業者の前面と背面の両方を適切に保護することができる。加えて、本考案の防護服では、背面防具に比べて前面防具が、相対的に軟質であり、かつ、相対的に屈曲容易に形成されている。このため、背面部に比べて前面部の方が屈曲しやすくなっており、屈んだ際に作業者の胸部や腹部を圧迫しにくくなっている。すなわち、着用時でも作業者が屈む姿勢を取りやすくなる。このように、本考案の防護服によれば、作業者の身体を十分に保護できるとともに、着用時に作業者の動作が制限されることを防止できる。
【００１１】
ここで開示される防護服の好ましい一態様では、前面防具及び／又は背面防具は、相互に弾性率の異なる複数の防護パット、若しくは、相互に弾性率の異なる複数の積層体を積層させてなる防護パットから構成されている。
かかる態様の防護服では、相互に弾性率の異なる複数の防護パット（若しくは防護パットを構成する積層体）を積層させることによって、前面防具（若しくは背面防具）の衝撃を吸収する能力や、着用時の動きやすさを容易に調整することができる。
【００１２】
また、上記防護服のさらに好ましい態様では、前面防具及び／又は背面防具は、発泡樹脂からなる防護パット、若しくは、発泡樹脂からなる積層体を含んでいる。
かかる態様の防護服では、前面防具（若しくは背面防具）に発泡樹脂からなる防護パット（若しくは発泡樹脂からなる積層体を積層させてなる防護パット）が含まれていることによって、外部から前面防具（若しくは背面防具）に加えられた衝撃を好適に分散し、吸収することができる。このため、かかる態様の防護服によれば、外部からの衝撃を吸収可能な防護パットからなる前面防具（若しくは背面防具）を容易に実現することができる。
【００１３】
また、上記防護服のさらに好ましい態様では、背面防具は、非発泡樹脂からなる防護パット、若しくは、非発泡樹脂からなる積層体をさらに含んでいる。
かかる態様の防護服では、背面防具に非発泡樹脂からなる防護パット（若しくは積層体）が含まれていることによって、外部から背面防具に加えられた衝撃を、上記非発泡樹脂からなる防護パット（若しくは積層体）で反射することができる。このため、外部からの衝撃から作業者の背中を適切に保護することができる。
【００１４】
また、上記防護服のさらに好ましい態様では、背面防具は、着用時において、作業者の身体に近い方に上記非発泡樹脂からなる防護パット、若しくは、上記非発泡樹脂からなる積層体を配置し、作業者の身体から遠い方に上記発泡樹脂からなる防護パット、若しくは、上記発泡樹脂からなる積層体を配置することによって構成されている。
かかる態様の防護服では、外部から背面防具に加えられた衝撃は、発泡樹脂からなる防護パット（若しくは積層体）によって分散される。そして、分散された衝撃は、非発泡樹脂からなる防護パット（若しくは積層体）によって反射される。このため、かかる態様の防護服によれば、作業者の背面を外部の衝撃からより好適に保護することができる。
【００１５】
ここで開示される防護服の好ましい一態様では、前面防具は、背面防具よりも少ない数の防護パット、若しくは、背面防具よりも積層体の数が少ない防護パットから構成されている。
かかる態様の防護服では、前面防具を、背面防具に比べて相対的に軟質であり、かつ、相対的に屈曲容易に形成することをより容易に実現することができる。
【００１６】
ここで開示される防護服の好ましい一態様では、少なくとも作業者の胸部及び腹部を保護するように防護服が構成されている場合に、前面防具が、作業者の胸部を保護する部位に比べて、腹部を保護する部位の方が相対的に薄くなるように形成されている。
作業者の胸部及び腹部を保護するように前面防具を構成した場合、前面防具の腹部を保護する部分が最も屈曲する頻度が多くなる。かかる態様の防護服では、作業者の胸部を保護する部位に比べて、腹部を保護する部位の方が相対的に薄くなるように形成されているので、前面防具が作業者の動作を妨げることを防止できる。
【００１７】
ここで開示される防護服の好ましい一態様では、前面部には前面防具を収容する前面収容部が設けられており、背面部には背面防具を収容する背面収容部が設けられている。
かかる態様の防護服によると、前面部に前面防具を容易に装着させることができ、背面部に背面防具を容易に装着させることができる。また、前面防具（若しくは背面防具）が破損した場合に、破損した前面防具（背面防具）を新しい前面防具（背面防具）に容易に交換することができる。従って、防護服自体を継続して使用することができるので、コストの面で好適である。
【００１８】
ここで開示される防護服の好ましい一態様では、ショルダー部および／又はサイド部はメッシュ生地で構成されている。
かかる態様の防護服では、ショルダー部（若しくはサイド部）がメッシュ生地で構成されているので、通気性が良くなり、防護服の着用感を向上させることができる。
【００１９】
ここで開示される防護服の好ましい一態様では、サイド部の何れか一方に、前面部と背面部との連結を自在に解除することができる係合部が設けられている。
かかる態様の防護服では、係合部において前面部と背面部との連結を解除できるため、防護服の着脱が容易になる。また、防護服の着脱を容易にするためには、前面部や背面部を開閉させる構造を設けることもできる。しかし、前面部（若しくは背面部）に開閉構造を設けると、開閉構造が配置される部位には前面防具（若しくは背面防具）が配置できないので、サイド部に係合部が設けられている態様は作業者の前面および背面の保護という点でより好ましい。
【００２０】
さらに、上記防護服のさらに好ましい態様では、上記係合部は、サイド部における前面部に隣接した部位に設けられている。
かかる態様の防護服では、サイド部における前面部に隣接した部位に係合部が設けられているので、作業者の手が届きやすい位置に係合部が配置される。したがって、他の部位に係合部が設けられている場合と比較して、係合部の操作を容易に行うことができる。
【００２１】
さらに、上記防護服のさらに好ましい態様では、上記係合部は、開閉自在に設けられたファスナーを構成している。
かかる態様の防護服によると、前面部と背面部との連結（若しくは当該連結の解除）をさらに容易に行うことができる。
【００２２】
さらに、上記防護服のさらに好ましい態様では、上記ファスナーは、係合基部が上方であり、且つ、係合先端が下方に位置するように設けられている。
この場合、係合先端が下方に位置しているため、前面部と背面部とが連結している際に当該ファスナーが自然に開いて、前面部と背面部との連結が解除されることを防止できる。
【図面の簡単な説明】
【００２３】
【図１】本考案の一実施形態に係る防護服を模式的に示した前面図。
【図２】本考案の一実施形態に係る防護服を模式的に示した背面図。
【図３】本考案の一実施形態に係る防護服を模式的に示した右側面図。
【図４】本考案の一実施形態に係る防護服を模式的に示した左側面図。
【図５】図２に示した防護服のＶが指す範囲を拡大した部分拡大図。
【図６】本考案の一実施形態に係る防護服の前面防具を模式的に示した正面図。
【図７】図６に示した前面防具のＶＩＩ−ＶＩＩ間における断面図。
【図８】本考案の一実施形態に係る防護服の背面防具を模式的に示した正面図。
【図９】図８に示した背面防具のＩＸ−ＩＸ間における断面図。
【図１０】本考案の他の実施形態に係る防護服を模式的に示した左側面図。
【考案を実施するための形態】
【００２４】
以下、図面を参照しながら、本考案の好適ないくつかの実施形態を説明するが、本考案を後述する形態のものに限定することを意図したものではない。なお、本明細書において特に言及している事項以外の事柄であって本考案の実施に必要な事項（各部材の作製方法など）は、当該分野における従来技術に基づく当業者の設計事項として把握され得る。本考案は、本明細書に開示されている内容と当該分野における技術常識に基づいて実施することができる。
【００２５】
以下、本考案の好ましい一実施形態に係る防護服１００について説明する。以下の説明および図面において、同じ作用を奏する部材、部位には同じ符号を付し、重複する説明は省略または簡略化することがある。また、各図における寸法関係（長さ、幅、厚さ等）は、必ずしも実際の寸法関係を正確に反映するものではない。
【００２６】
以下、図１から図９を参照しながら防護服１００について説明する。図１は防護服１００を前面から見た場合の前面図であり、図２は防護服１００の背面図である。また、図３は防護服１００の右側面図であり、図４は防護服１００の左側面図である。さらに、図５は、図２中のＶが指す範囲（背面部２０とショルダー部３０との境界）を拡大した部分拡大図である。図６はここで開示される防護服１００が備えている前面防具５０の正面図であり、図７は図６中のＶＩＩ−ＶＩＩ間における前面防具５０の断面図である。また、図８は防護服１００が備えている背面防具６０の正面図であり、図９は図８中のＩＸ−ＩＸ間における背面防具６０の断面図である。なお、本明細書中の説明において、「前」とは防護服１００を着用した作業者１の正面側の方向（図３及び図４における矢印が指す方向）を指し、「上」とは当該作業者１の頭部側の方向を指し、「縦」とは当該作業者１の背丈に沿った方向を指すものとする。
【００２７】
最初に防護服１００の全体構成を説明する。
図１から図４に示すように、防護服１００は作業者１が着用する衣服であり、ここではチョッキ状の胴衣を構成している。ここで開示される防護服１００は、作業者１の胸部及び腹部を保護する前面部１０（図１参照）と、作業者１の背中を保護する背面部２０（図２参照）とを備えている。かかる前面部１０および背面部２０の上縁はショルダー部３０によって連結されており、前面部１０および背面部２０の側縁はサイド部４０によって連結されている。防護服１００の着用時には、ショルダー部３０は作業者１の肩部に配置され、サイド部４０は作業者１の脇腹部に配置される。また、この防護服１００の前面部１０には前面防具５０が装着されており、背面部２０には背面防具６０が装着されている。
【００２８】
また、防護服１００及び防護服１００を構成する各部材の寸法は、防護服１００を着用する作業者１の体格に応じて任意に定めることができる。ここでは、防護服１００の縦寸（Ｈ１）は、３０ｃｍ〜７０ｃｍ程度であるとよく、より好ましくは４０ｃｍ〜６０ｃｍ程度（ここでは５０ｃｍ程度）であるとよい（図１参照）。横寸（Ｗ１）は、３０ｃｍ〜５０ｃｍ程度であるとよく、より好ましくは３５ｃｍ〜４５ｃｍ程度（ここでは４０ｃｍ程度）であるとよい（図１参照）。奥行き（Ｄ１）は、１０ｃｍ〜３０ｃｍ程度であるとよく、より好ましくは１５ｃｍ〜２５ｃｍ程度（ここでは２０ｃｍ程度）であるとよい（図３参照）。
【００２９】
次に、前面部１０について説明する。
前面部１０は、作業者の胸部及び／又は腹部を保護する部材である。図１に示すように、ここで開示される前面部１０は、作業者１の鎖骨付近から下腹部付近までを覆うように形成されており、作業者１の胸部及び腹部を保護する。この前面部１０には、天然繊維、再生繊維、合成繊維などの繊維を編んで成る布状の部材を用いるとよい。ここで、天然繊維としては、例えば、綿、絹、麻、などを用いることができ、再生繊維としては、アセテート繊維、キュプラ、レーヨン、再生ポリエステルなどを用いることができ、合成繊維としては、ポリアミド、ポリウレタン、ポリエステル、ポリビニルアルコール、アクリル、ポリエチレン、ポリプロピレンなどを用いることができる。ここで開示される防護服１００では、前面部１０にポリアミド繊維が用いられている。
また、前面部１０はメッシュ生地で構成されているとよい。これによって、前面部１０の通気性を向上させ、防護服１００の着用感を向上させることができる。ここで開示される防護服１００では、上述のポリアミド繊維を網目状に編むことによって作製されたメッシュ生地で前面部１０が構成されている。
また、前面部１０の縦寸（Ｈ２）は、１０ｃｍ〜４５ｃｍ程度であるとよく、より好ましくは３０ｃｍ〜４０ｃｍ程度（ここでは４０ｃｍ程度）であるとよい。横寸（Ｗ２）は、２０ｃｍ〜３５ｃｍ程度であるとよく、より好ましくは２５ｃｍ〜３０ｃｍ程度（ここでは３０ｃｍ程度）であるとよい。
また、後で詳しく説明するが、前面部１０には前面防具５０が装着されている。
【００３０】
次いで、背面部２０について説明する。
背面部２０は作業者１の背中を保護する部材である。図２に示すように、ここで開示される背面部２０は、作業者１の肩胛骨付近から腰部付近までを覆うように形成されており、作業者１の背中を保護する。また、背面部２０には、上述したような前面部１０の素材と同様の素材を用いることができる。ここで開示される防護服１００では、背面部２０にポリアミド繊維が用いられている。また、上述の前面部１０と同じように、背面部２０はメッシュ生地で構成されているとよい。ここで開示される防護服１００では、上述のポリアミド繊維を網目状に編むことによって作製されたメッシュ生地で背面部２０が構成されている（図５参照）。
また、背面部２０の縦寸（Ｈ３）は、３０ｃｍ〜５０ｃｍ程度であるとよく、より好ましくは４５ｃｍ〜５０ｃｍ程度（ここでは５０ｃｍ程度）であるとよい。横寸（Ｗ３）は、２０ｃｍ〜４０ｃｍ程度であるとよく、より好ましくは３５ｃｍ〜４０ｃｍ程度（ここでは４０ｃｍ程度）であるとよい。
また、後で詳しく説明するが、背面部２０には背面防具６０が装着されている。
【００３１】
次に、ショルダー部３０について説明する。
ショルダー部３０は、前面部１０および背面部２０の上縁を連結し、着用時に作業者１の肩部に配置される部材である。ここで開示される防護服１００はショルダー部３０として２枚の布状部材を備えており、当該ショルダー部３０は前面部１０の上縁の両端部１０ａ、１０ｂと、背面部２０の上縁の両端部２０ａ、２０ｂと、を連結している。また、ショルダー部３０には、天然繊維、再生繊維、合成繊維などの繊維を編んで成る布状の部材を用いることができる。これらの中でも、ショルダー部３０には、容易に伸張することができる素材が用いられているとよい。これによって、防護服１００を着用した際のフィット感を向上させることができる。かかる伸張容易な素材としては、例えば、ポリエステル繊維、ナイロン繊維、ポリウレタン繊維（より好ましくは、ポリウレタン弾性繊維）などが挙げられる。ここで開示される防護服１００では、ショルダー部３０にポリウレタン弾性繊維が用いられている。
【００３２】
また、ショルダー部３０はメッシュ生地で構成されているとよい。この場合、ショルダー部３０の通気性が良くなり、防護服の着用感を向上させることができる。ここでは、図５に示すように、上記ポリウレタン弾性繊維を編んで成るメッシュ生地でショルダー部３０が構成されている。この場合、通気性が向上することによって防護服１００の着用感を
向上させることができる。また、伸張容易な繊維（ここでは、ポリウレタン弾性繊維）を編んで成るメッシュ生地でショルダー部３０を構成しているため、フィット感が向上した防護服１００を提供することができる。
【００３３】
次に、サイド部４０について説明する。
サイド部４０は、前面部１０および背面部２０の側縁を連結し、着用時に作業者１の脇腹部に配置される部材である。ここで開示される防護服１００では、サイド部４０として２枚の布状部材を備えており、当該サイド部４０は、前面部１０の側縁の下端から中心付近までの領域１０ｃ、１０ｄと、背面部２０側縁の下端から中心付近までの領域２０ｃ、２０ｄと、を連結している。また、サイド部４０には、上記ショルダー部３０の素材と同様の素材を用いることができ、伸張容易な素材を好ましく用いることができる。また、サイド部４０もメッシュ生地で構成されているとよい。ここで開示される防護服１００では、サイド部４０もポリウレタン弾性繊維を編んで成るメッシュ生地で構成されている。
【００３４】
また、サイド部４０の何れか一方には、前面部１０と背面部２０との連結を自在に解除することができる係合部４２が設けられているとよい。これによって、係合部４２において前面部１０と背面部２０との連結を解除でき、防護服１００の着脱が容易になる。ここで開示される防護服１００では、図１及び図４に示すように、作業者１の左側のサイド部４０に係合部４２が設けられており、かかる係合部４２は左側のサイド部４０を縦断している。
【００３５】
また、ここで開示される係合部４２は、サイド部４０における前面部１０に隣接した部位に設けられている。この場合、前面部１０に隣接した部位に係合部４２が設けられていることによって、作業者１の手が届きやすい位置に係合部４２が配置され、係合部４２の操作を容易に行うことができる。
【００３６】
また、係合部４２は、前面部１０と背面部２０との連結を自在に解除することができればよく、その構造は特に限定されない。かかる係合部４２は、例えば、ファスナー、面ファスナー、ボタン、留めかぎ、バックルなどで構成することができる。ここで開示される係合部４２は、図４に示すように、開閉自在に設けられたファスナーを構成している。このファスナー（係合部）４２は、下方に係合基部４２ａが設けられており、上方に係合先端４２ｂが設けられている。かかるファスナー４２は、前面部１０と背面部２０との連結が解除されている状態で、係合基部４２ａから係合先端４２ｂへ向かって、スライダー４２ｃを摺動させることによって閉まり、前面部１０と背面部２０とを連結させる。一方、前面部１０と背面部２０とが連結されている状態では、係合先端４２ｂから係合基部４２ａへ向かって、スライダー４２ｃを摺動させることによって開き、前面部１０と背面部２０との連結を解除させる。このように、係合部４２をファスナー４２で構成することによって、前面部１０と背面部２０との連結を自在に解除することができ、防護服１００の着脱をさらに容易することができる。
【００３７】
次に、前面防具５０について説明する。
前面防具５０は、外部からの衝撃を吸収可能な防護パットから構成されており、前面部１０に装着されている。ここで開示される前面防具５０は、図６及び図７に示すように、２枚の防護パット（第一前面パット５４、第二前面パット５６）から構成されている。第一前面パット５４は作業者１の身体に近い方（図７における下方側）に配置されており、第二前面パット５６は作業者１の身体から遠い方（図７における上方側）に配置されている。また、前面防具５０の縦寸（Ｈ４）は、１０ｃｍ〜４０ｃｍ程度であるとよく、より好ましくは２０ｃｍ〜３５ｃｍ程度（ここでは３０ｃｍ程度）であるとよい（図６参照）。横寸（Ｗ４）は、１０ｃｍ〜３０ｃｍ程度であるとよく、より好ましくは１５ｃｍ〜２５ｃｍ程度（ここでは２０ｃｍ程度）であるとよい（図６参照）。また、厚み（Ｄ４）は、０．１ｃｍ〜２ｃｍ程度であるとよく、より好ましくは０．５ｃｍ〜１ｃｍ程度（ここでは０．７ｃｍ程度）であるとよい（図７参照）。
【００３８】
また、前面防具５０には、種々の素材を用いることができるが、前面防具５０を構成する防護パットの中に発泡樹脂からなる防護パットが含まれていると好ましい。この場合、発泡樹脂からなる防護パットが外部からの衝撃を分散した上で吸収するので、作業者１の前面を適切に保護することができる。かかる発泡樹脂には、例えば、低反発ウレタンフォーム、高弾性ウレタンフォーム、半硬質ウレタンフォームなどを用いることができる。ここで開示される防護服１００では、第一前面パット５４および第二前面パット５６が低反発ウレタンフォームで構成されている。
【００３９】
また、前面防具５０は相互に弾性率の異なる複数の防護パットから構成されているとよい。この場合、相互に弾性率の異なる複数の防護パットを積層させることによって、前面防具５０の衝撃を吸収する能力や、防護服１００を着用した際の動きやすさを容易に調整することができる。ここで開示される防護服１００では、第一前面パット５４と第二前面パット５６とで、低反発ウレタンフォームの発泡率を変えている。具体的には、第二前面パット５６を構成する低反発ウレタンフォームに比べて、第一前面パット５４を構成する低反発ウレタンフォームの方が高い発泡率で作製されている。これによって、第一前面パット５４よりも第二前面パット５６の方が高い弾性率を有している。
【００４０】
また、ここで開示される防護服１００のように、少なくとも作業者の胸部及び腹部を保護するように前面防具５０が構成されている場合、前面防具５０は、作業者１の胸部を保護する部位に比べて、腹部を保護する部位の方が相対的に薄くなるように形成されているとよい。これによって、腹部を保護する部位が屈曲しやすい前面防具５０を構成することができる。ここでは、図６及び図７に示すように、第一前面パット５４の半分程度の大きさになるように、第二前面パット５６が構成されており、当該第二前面パット５６が前面防具５０の上半分に配置されている。
【００４１】
上述したように、前面防具５０は前面部１０に装着されている。前面部１０に前面防具５０を装着する方法としては、縫製や接着など種々の方法を挙げることができる。ここでは、前面部１０に前面収容部１５が設けられており、前面防具５０は当該前面収容部１５に収容されている。ここでは、図１に示すように、袋状の前面収容部１５が前面部１０に取り付けられている。当該前面収容部１５の中心付近には、前面収容部１５を横断する開口である収容口１５ａが形成されている。前面防具５０は、この収容口１５ａを通して前面収容部１５内に収容される。かかる構成によれば、前面部１０に前面防具５０を容易に装着させることができる。このため、前面防具５０が破損した場合に、破損した前面防具５０を新しい前面防具５０に容易に交換することができる。従って、防護服１００自体は継続して使用することができるので、コストの面で好適である。
【００４２】
次に、背面防具６０について説明する。
背面防具６０は、外部からの衝撃を吸収可能な防護パットから構成さており、背面部２０に装着されている。図８及び図９に示すように、ここで開示される背面防具６０は、３枚の防護パット（第一背面パット６４、第二背面パット６６、第三背面パット６８）から構成されている。ここで開示される背面防具６０は、作業者１の身体に近い方（図９における下方）から作業者１の身体から遠い方（図７における上方）に向かって第一背面パット６４、第二背面パット６６、第三背面パット６８の順に重ねることによって構成されている。また、背面防具６０の縦寸（Ｈ５）は、３０ｃｍ〜７０ｃｍ程度であるとよく、より好ましくは４０ｃｍ〜６０ｃｍ程度（ここでは５０ｃｍ程度）であるとよい（図８参照）。横寸（Ｗ５）は、１５ｃｍ〜４０ｃｍ程度であるとよく、より好ましくは２０ｃｍ〜３５ｃｍ程度（ここでは３０ｃｍ程度）であるとよい（図８参照）。また、厚み（Ｄ５）は、０．１ｃｍ〜３ｃｍ程度であるとよく、より好ましくは０．５ｃｍ〜２ｃｍ程度（ここでは１．３ｃｍ程度）であるとよい（図９参照）。
【００４３】
また、背面防具６０には、種々の素材を用いることができるが、背面防具６０を構成する防護パットの中に発泡樹脂からなる防護パットが含まれているとよい。前面防具５０と同様に、背面防具６０に発泡樹脂からなる防護パットが含まれていると、背面防具６０は外部からの衝撃を分散した上で吸収することができるので、作業者１の背面を適切に保護することができる。ここで開示される背面防具６０では、第三背面パット６８が低反発ウレタンフォームで構成されており、第一背面パット６４がウレタンスポンジで構成されている。
【００４４】
また、背面防具６０には、非発泡樹脂からなる防護パットが含まれているとよい。背面防具６０に非発泡樹脂からなる防護パットが含まれていると、外部から背面防具６０に加えられた衝撃を、非発泡樹脂からなる防護パットで反射させることができる。このため、かかる構成の背面防具６０は作業者１の背中を適切に保護することができる。背面防具６０の防護パットに用いられる非発泡樹脂には、例えば、ウレタンシート、オレフィンシート、塩化ビニールシートなどが挙げられる。ここで開示される背面防具６０では、第二背面パット６６がウレタンシートで構成されている。
【００４５】
また、背面防具６０は相互に弾性率の異なる複数の防護パットから構成されているとよい。前面防具５０の場合と同様に、これによって、背面防具６０の衝撃を吸収する能力や、防護服１００を着用した際の動きやすさを容易に調整することができる。ここで開示される背面防具６０では、第一背面パット６４が低反発ウレタンフォーム、第二背面パット６６がウレタンシート、第三背面パット６８がウレタンフォームで構成されており、各防護パットの弾性率が相互に異なっている。
【００４６】
また、背面防具６０は、着用時において、作業者１の身体に近い方に非発泡樹脂からなる防護パットが配置され、作業者１の身体から遠い方に発泡樹脂からなる防護パットが配置されることによって構成されているとよい。この場合、外部から背面防具６０に加えられた衝撃は、発泡樹脂からなる防護パット（ここでは、低反発ウレタンフォーム製の第三背面パット６８）によって分散される。そして、分散された衝撃は、非発泡樹脂からなる防護パット（ここでは、ウレタンシート製の第二背面パット６６）によって反射される。このため、作業者１の背面を外部の衝撃からより好適に保護することができる。
また、ここで開示される防護服１００では、第二背面パット６６よりもさらに作業者１の身体に近い位置に、発泡性樹脂からなる第一背面パット６４が配置されている。この場合、第二背面パット６６に反射されることによって弱められた衝撃を、第一背面パット６４がさらに分散させる。このため、ここで開示された背面防具６０は作業者１の背面をさらに好適に保護することができる。
【００４７】
上述したように、背面防具６０は背面部２０に装着されている。背面部２０に背面防具６０を装着する方法は、上述した前面部１０に前面防具５０を装着する方法と同様の方法を用いることができる。ここでは、図２に示すように、背面部２０に背面収容部２５が設けられており、背面防具６０は当該背面収容部２５に収容されている。この場合、背面収容部２５の収容口２５ａを通して、背面収容部２５内に背面防具６０が収容される。これによって、前面防具５０と同様に、破損した背面防具６０を新しい背面防具６０に容易に交換することができ、コスト削減を実現することができる。
【００４８】
以上、前面防具５０および背面防具６０の構造について説明した。
ここで開示される防護服１００は、上述のように、前面部１０に前面防具５０が装着されており、背面部２０に背面防具６０が装着されているので、作業者１の前面と背面の両方を適切に保護することができる。
【００４９】
上述した構成に加えて、ここで開示される防護服１００は、背面防具６０に比べて相対的に軟質であり、かつ、相対的に屈曲容易に形成された前面防具５０を有していることを特徴としている。以下、かかる特徴を実現する手段について詳細に説明する。
【００５０】
上記特徴を容易に実現するための手段として、例えば、前面防具５０を、背面防具６０よりも少ない数の防護パットから構成するという方法が挙げられる。上述したように、ここで開示される前面防具５０は２枚の防護パット５４、５６から構成されており、背面防具６０は３枚の防護パット６４、６６、６８から構成されている。
【００５１】
さらに、上記特徴を実現するための手段の他の例として、背面防具６０に比べて、相対的に弾性率の低い素材で前面防具５０を構成するという方法が挙げられる。上述のように、ここで開示される背面防具６０にはウレタンシート製の第二背面パット６６が含まれている。一方、前面防具５０は、低反発ウレタンフォーム製の防護パット５４、５６で構成されている。かかる構成の前面防具５０は、背面防具６０に比べて相対的に弾性率が低い素材で構成されているため、背面防具６０に比べて相対的に軟質であり、かつ、相対的に屈曲容易に形成されることになる。
【００５２】
加えて、上記特徴を実現するための手段の他の例として、背面防具６０に比べて、相対的に厚みが薄くなるように前面防具５０を構成するという方法が挙げられる。上述したように、ここで開示される防護服１００では、前面防具５０の厚み（Ｄ４）が０．７ｃｍ程度であり、背面防具６０の厚み（Ｄ５）が１．３ｃｍ程度である。これによって、背面防具６０に比べて相対的に軟質であり、かつ、相対的に屈曲容易な前面防具５０を形成することが容易になる。
【００５３】
また、上記特徴を実現するための手段の他の例として、少なくとも作業者１の胸部及び腹部を保護するように前面防具５０が構成されている場合、作業者１の胸部を保護する部位に比べて、腹部を保護する部位の方が相対的に薄くなるように前面防具５０を形成するという方法が挙げられる。上述したように、ここで開示される前面防具５０では、図７に示すように、第一前面パット５４の半分程度の大きさの第二前面パット５６が前面防具５０の上半分に配置されている。これによって、背面防具６０に比べて前面防具５０は屈曲容易になっている。
【００５４】
上述したように、ここで開示される防護服１００は、背面防具６０に比べて相対的に軟質であり、かつ、相対的に屈曲容易に形成された前面防具５０を有している。このため、かかる防護服１００では、背面部２０に比べて前面部１０の方が屈曲しやすくなっている。これによって、作業者１が屈んだ際に、前面防具５０が胸部や腹部を圧迫しにくくなっている。したがって、ここで開示される防護服１００は、着用時でも作業者１が屈む姿勢を取りやすくなっており、作業者１の動作が制限されることを防止している。
また、上述したように、かかる防護服１００は、作業者１の前面と背面の両方を適切に保護することができる。したがって、ここで開示される防護服１００によれば、作業者１の身体を十分に保護できるとともに、着用時に作業者１の動作が制限されることを防止できる。
【００５５】
以上、本考案の一実施形態に係る防護服１００を説明した。なお、本考案の防護服は、上述の防護服１００の構造に限定されず、種々の変更を行うことができる。次に、本考案の他の実施形態に係る防護服１００について説明する。
【００５６】
上述した防護服１００では、前面防具５０および背面防具６０が複数の防護パットで構成されている。しかし、前面防具５０（背面防具６０）は、外部からの衝撃を吸収可能な防護パットから構成されていればよく、一枚の防護パットで構成されていてもよい。例えば、この場合、複数の積層体を積層させた防護パットを作製することによって、上述のような特徴を有した前面防具５０（背面防具６０）を容易に構成することができる。
【００５７】
また、上述の防護服１００では、前面防具５０（背面防具６０）を前面収容部１５（背面収容部２５）に収容することによって、前面防具５０（背面防具６０）を前面部１０（背面部２０）に装着させていた。しかし、前面防具５０（背面防具６０）は、前面部１０（背面部２０）に装着されていればよく、他の方法を用いて、前面防具５０（背面防具６０）を前面部１０（背面部２０）に装着させてもよい。当該装着させる方法としては、例えば、前面防具５０（背面防具６０）を前面部１０（背面部２０）に縫い付ける、接着剤などで前面防具５０（背面防具６０）を前面部１０（背面部２０）に接着させるなどの方法が挙げられる。
【００５８】
また、上述の防護服１００では、係合部４２がファスナー４２で構成されており、かかるファスナー４２の下方に係合基部４２ａが設けられており、上方に係合先端４２ｂが設けられていた。例えば、この係合部（ファスナー）４２の好ましい形態の一つとして、図１０に示すような係合部４２が挙げられる。かかる係合部４２は、ファスナー４２で構成されている。このファスナー（係合部）４２は、係合基部４２ａが上方であり、且つ、係合先端４２ｂが下方に位置するように設けられている。この場合、係合先端４２ｂが下方に位置しているため、前面部１０と背面部２０とが連結している際に当該ファスナー４２が自然に開いて、前面部１０と背面部２０との連結が解除されることを防止できる。
【００５９】
また、上述の防護服１００は、作業者１の胸部及び腹部を保護する前面部１０を備えている。しかし、前面部１０は、作業者１の胸部と腹部の何れか一方を保護するような構造を有していてもよい。
【００６０】
また、上述の説明では、防護服１００の形状の一例として、チョッキ状の胴衣が開示されている。しかし、本考案の防護服１００は、かかる形状に限定されるものではない。例えば、防護服１００は、長袖若しくは半袖の着衣でもよい。また、防護服１００の形状のその他の例として、紐状のショルダー部３０（及び／又は）サイド部４０が、前面部１０と背面部２０とを連結させてなるプロテクターも挙げられる。
【産業上の利用可能性】
【００６１】
ここに開示される防護服は、作業者の動作を妨げずに、作業者の身体を十分に保護することができる。このため、かかる防護服を作業現場で用いると、作業効率を向上させることができるとともに、作業現場における災害の発生を防止することができる。
【符号の説明】
【００６２】
１      作業者
１０    前面部
１５    前面収容部
１５ａ  収容口
２０    背面部
２５    背面収容部
２５ａ  収容口
３０    ショルダー部
４０    サイド部
４２    係合部（ファスナー）
４２ａ  係合基部
４２ｂ  係合先端
４２ｃ  スライダー
５０    前面防具
５４    第一前面パット
５６    第二前面パット
６０    背面防具
６４    第一背面パット
６６    第二背面パット
６８    第三背面パット
１００  防護服
【図１】
0003160916.tif 000003
【図２】
0003160916.tif 000004
【図３】
0003160916.tif 000005
【図４】
0003160916.tif 000006
【図５】
0003160916.tif 000007
【図６】
0003160916.tif 000008
【図７】
0003160916.tif 000009
【図８】
0003160916.tif 000010
【図９】
0003160916.tif 000011
【図１０】
0003160916.tif 000012
【手続補正書】
【提出日】平成22年5月10日(2010.5.10)
【手続補正１】
【補正対象書類名】実用新案登録請求の範囲
【補正対象項目名】全文
【補正方法】変更
【補正の内容】
【実用新案登録請求の範囲】
【請求項１】
作業者が着用する防護服であって、
作業者の胸部及び／又は腹部を保護する前面部と、
作業者の背中を保護する背面部と、
前記前面部および前記背面部の上縁を連結し、着用時に作業者の肩部に配置されるショルダー部と、
前記前面部および前記背面部の側縁を連結し、着用時に作業者の脇腹部に配置されるサイド部と、
を備えており、
前記前面部には、外部からの衝撃を吸収可能な防護パットから構成された前面防具が装着されており、
前記背面部には、外部からの衝撃を吸収可能な防護パットから構成された背面防具が装着されており、
ここで、前記前面防具は、前記背面防具に比べて相対的に軟質であり、かつ、相対的に屈曲容易に形成されていることを特徴とする、防護服。
【請求項２】
前記前面防具及び／又は前記背面防具は、相互に弾性率の異なる複数の防護パット、若しくは、相互に弾性率の異なる複数の積層体を積層させてなる防護パットから構成されている、請求項１に記載の防護服。
【請求項３】
前記前面防具及び／又は前記背面防具は、発泡樹脂からなる防護パット、若しくは、発泡樹脂からなる積層体を含む、請求項２に記載の防護服。
【請求項４】
前記背面防具は、非発泡樹脂からなる防護パット、若しくは、非発泡樹脂からなる積層体をさらに含む、請求項３に記載の防護服。
【請求項５】
前記背面防具は、着用時において、作業者の身体に近い方に前記非発泡樹脂からなる防護パット、若しくは、前記非発泡樹脂からなる積層体を配置し、作業者の身体から遠い方に前記発泡樹脂からなる防護パット、若しくは、前記発泡樹脂からなる積層体を配置してなる、請求項４に記載の防護服。
【請求項６】
前記前面防具は、前記背面防具よりも少ない数の防護パット、若しくは、前記背面防具よりも前記積層体の数が少ない防護パットから構成されている、請求項２から５までの何れか一項に記載の防護服。
【請求項７】
前記前面防具は、少なくとも作業者の胸部及び腹部を保護するように構成されており、
前記前面防具は、作業者の胸部を保護する部位に比べて、腹部を保護する部位の方が相対的に薄くなるように形成されている、請求項１から６までの何れか一項に記載の防護服。
【請求項８】
前記前面部には前記前面防具を収容する前面収容部が設けられており、
前記背面部には前記背面防具を収容する背面収容部が設けられている、請求項１から７までの何れか一項に記載の防護服。
【請求項９】
前記ショルダー部および／又は前記サイド部はメッシュ生地で構成されている、請求項１から８までの何れか一項に記載の防護服。
【請求項１０】
前記サイド部の何れか一方には、前記前面部と前記背面部との連結を自在に解除することができる係合部が設けられている、請求項１から９までの何れか一項に記載の防護服。
【請求項１１】
前記係合部は、前記サイド部における前記前面部に隣接した部位に設けられている、請求項１０に記載の防護服。
【請求項１２】
前記係合部は、開閉自在に設けられたファスナーを構成している、請求項１０又は１１に記載の防護服。
【請求項１３】
前記ファスナーは、係合基部が上方であり、且つ、係合先端が下方に位置するように設けられている、請求項１２に記載の防護服。